(57)【要約】【課題】通信信号における識別子が占める割合を減らして通信効率を向上できるネットワークシステムを提供する。【解決手段】内部ネットワークＮＷ３に接続され、自己の所定のデータ長の第１の識別子及び当該第１の識別子よりもデータ長が短い第２の識別子とを記憶した内部端末５を備え、ゲートウェイ装置１は、第２外部ネットワークＮＷ２から送信された通信信号を受信した場合に、第１の識別子と第２の識別子との対応関係を内部端末５ごとに登録した変換テーブルを参照して、変換テーブルに従って通信信号に含まれる第１の識別子を第２の識別子に変換して、内部ネットワークＮＷ３に送出する。内部端末５は、第２の識別子を含む通信信号を受信した場合に、当該第２の識別子を第１の識別子に変換する。【選択図】図１
2008244712.tif 000002
【特許請求の範囲】
【請求項１】
第１のネットワーク及び第２のネットワークに接続された識別子変換装置と、
前記第２のネットワークに接続され、自己の所定のデータ長の第１の識別子及び当該第１の識別子よりもデータ長が短い第２の識別子とを記憶した端末とを備え、
前記識別子変換装置は、前記第１のネットワークから送信された通信信号を受信した場合に、前記第１の識別子と前記第２の識別子との対応関係を前記端末ごとに登録した変換テーブルを参照して、前記変換テーブルに従って前記通信信号に含まれる第１の識別子を前記第２の識別子に変換して、前記第２のネットワークに送出する変換手段とを備え、
前記端末は、前記第２の識別子を含む通信信号を受信した場合に、当該第２の識別子を第１の識別子に変換すること
を特徴とするネットワークシステム。
【請求項２】
前記第１のネットワーク及びルータ装置を介して前記識別子変換装置に接続されたセンターサーバを更に備え、
前記センターサーバは、前記第１の識別子と、当該第１の識別子に対応した第２の識別子との対応関係を記述した対応テーブルであって、前記識別子変換装置に接続された前記ルータ装置が異なることを条件に当該第２の識別子の重複を許容して構成された対応テーブルを参照可能となっており、
前記識別子変換装置は、自己が接続された第２のネットワークに接続された端末の第１の識別子を前記センターサーバに送信し、
前記センターサーバは、前記識別子変換装置から送信された第１の識別子に対応した第２の識別子を前記対応テーブルから読み出して前記識別子変換装置に送信し、
前記識別子変換装置は、前記センターサーバから送信された前記第１の識別子に対応した第２の識別子を前記変換テーブルに格納すること
を特徴とする請求項１に記載のネットワークシステム。
【請求項３】
前記識別子変換装置は、前記変換テーブルに登録されていない第１の識別子を含む通信信号を受信した場合に、当該第１の識別子に対応した第２の識別子を前記センターサーバに問い合わせて、前記変換テーブルを更新することを特徴とする請求項２に記載のネットワークシステム。
【請求項４】
前記識別子変換装置は、前記第２のネットワークに新たな端末が接続されたことを検知した場合に、当該端末の第１の識別子に対応した第２の識別子を前記センターサーバに問い合わせることを特徴とする請求項２に記載のネットワークシステム。
【請求項５】
前記識別子変換装置は、前記端末に記憶された第２の識別子を収集し、当該収集した第２の識別子に当該端末の第１の識別子を対応させて変換テーブルを作成することを特徴とする請求項１に記載のネットワークシステム。
【請求項６】
前記識別子変換装置は、前記変換テーブルに登録されていない第１の識別子を含む通信信号を受信した場合に、当該第１の識別子を保有する端末が存在するかを問い合わせ、当該第１の識別子を保有する端末から送信された第２の識別子を受信した場合に、前記変換テーブルを更新することを特徴とする請求項５に記載のネットワークシステム。
【請求項７】
前記識別子変換装置は、前記第２のネットワークに新たな端末が接続されたことを検知した場合に、当該端末の第１の識別子に対応した第２の識別子を収集することを特徴とする請求項５に記載のネットワークシステム。
【請求項８】
前記第１の識別子は、前記端末が提供するサービスの機能を示すサービス識別子であることを特徴とする請求項１乃至請求項７の何れか一項に記載のネットワークシステム。
【発明の詳細な説明】
【技術分野】
【０００１】
本発明は、例えば回線速度などが異なるネットワーク間でデータを授受するネットワークシステムに関する。
【背景技術】
【０００２】
従来より、プロトコルが異なるネットワーク間で通信を行う技術としては、下記の特許文献１などに記載されたものが知られている。
【０００３】
この特許文献１には、ＩＰｖ６と異なる通信プロトコルにより通信を行う通信網からＩＰｖ６網への通信を可能にするゲートウェイ装置等が記載されている。具体的には、ゲートウェイ装置は、移動通信端末から情報通信端末宛の通信データを受信した際に、第１の経路識別子を、ＩＰｖ６アドレスである第２の経路識別子に変換する。これによって、ゲートウェイ装置によれば、移動通信網配下の移動通信端末からＩＰｖ６網配下の情報通信端末への通信を可能にしている。
【特許文献１】特開２００４−２２１６７６号公報
【発明の開示】
【発明が解決しようとする課題】
【０００４】
上述したような識別子を変換する技術において、例えば回線速度が低い通信路等を想定していて、パケット長が短いプロトコルを仕様として設定している通信路の場合、例えば、バイト長が長い識別子を使用すると、各パケットに占める識別子の割合が多くなる。このような場合には、多くのパケットを使用しなければデータを送信することができない。したがって、データの通信効率が低下する問題がある。また、多くのパケットを送信する必要があることから、当該パケットの衝突（コリジョン）や、ネットワークシステム全体のレスポンスを低下させてしまう可能性がある。
【０００５】
そこで、本発明は、上述した実情に鑑みて提案されたものであり、通信信号における識別子が占める割合を減らして通信効率を向上できるネットワークシステムを提供することを目的とする。
【課題を解決するための手段】
【０００６】
本発明は、第１のネットワーク及び第２のネットワークに接続された識別子変換装置と、前記第２のネットワークに接続され、自己の所定のデータ長の第１の識別子及び当該第１の識別子よりもデータ長が短い第２の識別子とを記憶した端末とを備え、上述の課題を解決するために、前記識別子変換装置は、前記第１のネットワークから送信された通信信号を受信した場合に、前記第１の識別子と前記第２の識別子との対応関係を前記端末ごとに登録した変換テーブルを参照して、前記変換テーブルに従って前記通信信号に含まれる第１の識別子を前記第２の識別子に変換して、前記第２のネットワークに送出する変換手段とを備え、前記端末は、前記第２の識別子を含む通信信号を受信した場合に、当該第２の識別子を第１の識別子に変換することを特徴とする。
【発明の効果】
【０００７】
本発明によれば、第２のネットワークにおいては第１の識別子よりもデータ長が短い第２の識別子で信号の授受を行うので、通信信号における識別子が占める割合を減らして通信効率を向上できる。
【発明を実施するための最良の形態】
【０００８】
以下、本発明の実施の形態について図面を参照して説明する。
【０００９】
本発明は、例えば図１に示すように構成されたネットワークシステムに適用される。このネットワークシステムは、第１外部ネットワークＮＷ１に、第２外部ネットワークＮＷ２が接続され、当該第２外部ネットワークＮＷ２に内部ネットワークＮＷ３が接続されている。また、このネットワークシステムにおいて、第１外部ネットワークＮＷ１と第２外部ネットワークＮＷ２との間には、ルータ３が設けられている。更に、第２外部ネットワークＮＷ２と内部ネットワークＮＷ３との間には、ゲートウェイ装置１及び変換テーブル記憶装置２が設けられている。内部ネットワークＮＷ３には、内部端末５Ａ，５Ｂ，５Ｃ，５Ｄ（以下、総称する場合には単に「内部端末５」と呼ぶ。）が接続されている。このネットワークシステムは、ゲートウェイ装置１によって、第１外部ネットワークＮＷ１に含まれる通信機器（図示せず）や第２外部ネットワークＮＷ２に含まれる外部端末４と、内部端末５との間の通信信号を中継する。
【００１０】
第１外部ネットワークＮＷ１は、例えばインターネット等の汎用の通信回線である。第２外部ネットワークＮＷ２は、例えばイーサネット（登録商標）等の回線速度が高い通信回線である。内部ネットワークＮＷ３は、第２外部ネットワークＮＷ２よりも回線速度が低い通信回線である。内部ネットワークＮＷ３は、例えばビルや住宅等の建物内ＬＡＮ（Local Area Network）や電力線通信網等が挙げられる。
【００１１】
なお、第１外部ネットワークＮＷ１及び第２外部ネットワークＮＷ２が特許請求の範囲に記載の第１のネットワークに相当し、内部ネットワークＮＷ３が特許請求の範囲に記載の第２のネットワークに相当する。
【００１２】
内部端末５は、内部ネットワークＮＷ３に接続されている。内部端末５は、任意の装置であっても良い。例えば内部ネットワークＮＷ３がビル内ネットワークである場合、内部端末５としては、照明設備を制御するコントローラ、防犯設備を制御するコントローラなどが挙げられる。
【００１３】
内部端末５は、自己の所定のデータ長の第１の識別子であるサービス識別子（ＩＩＤ）及び当該第１の識別子よりもデータ長が短い第２の識別子である内部ＩＤ（ニックネーム）とを記憶している。このサービス識別子は、内部端末５が提供するサービスの機能を示す。複数のサービスを提供する内部端末５である場合、当該内部端末５には、複数のサービス識別子を保有している。なお、このサービス識別子（ＩＩＤ）は、例えば、機器埋め込み型ネットワーク技術であるＥＭＩＴ（Embedded Micro Internetworking Technology）に準拠して通信を行うためのＩＤである。
【００１４】
内部端末５は、内部ネットワークＮＷ３から自己の内部ＩＤを含む通信信号を受信した場合、当該内部ＩＤをサービス識別子に変換する。その後、内部端末５は、当該サービス識別子に基づいてサービスに関する処理を行う。一方、内部端末５は、内部ネットワークＮＷ３に通信信号を送出する場合には、自己のサービス識別子を内部ＩＤに変換して送出する。これによって、内部ネットワークＮＷ３内においては、サービス識別子を内部ＩＤにした状態の通信信号を授受する。
【００１５】
ゲートウェイ装置１は、第２外部ネットワークＮＷ２に接続された第１Ｉ／Ｆ回路と、内部ネットワークＮＷ３に接続された第２Ｉ／Ｆ回路と、変換部とを備える。このゲートウェイ装置１は、第１Ｉ／Ｆ回路又は第２Ｉ／Ｆ回路によって第２外部ネットワークＮＷ２と内部ネットワークＮＷ３との間で授受される通信信号を受信した場合に、変換部によって、当該通信信号に含まれる内部端末５のサービス識別子と内部ＩＤとの間で変換処理を行う。これにより、ゲートウェイ装置１は、識別子変換装置として機能する。
【００１６】
また、ゲートウェイ装置１は、サービス識別子と内部ＩＤとの対応関係を内部端末５ごとに登録した変換テーブルを記憶した変換テーブル記憶装置２と接続されている。この変換テーブル記憶装置２に記憶されている変換テーブルは、ゲートウェイ装置１によって動的に作成されても良く、静的に記憶されているだけであっても良い。なお、図１等に示したネットワークシステムの構成は、ゲートウェイ装置１と変換テーブル記憶装置２とが別個に存在している場合を示しているが、ゲートウェイ装置１内に変換テーブルを記憶していても良いのは勿論である。
【００１７】
このようなゲートウェイ装置１は、図２に示す処理を行うことにより、変換テーブルを作成する。
【００１８】
先ず、ゲートウェイ装置１は、ステップＳＴ１において、第１の識別子であるサービス識別子の取得要求Ｓ１を内部ネットワークＮＷ３に送出する。この取得要求Ｓ１は、内部ネットワークＮＷ３に接続された全ての内部端末５で受信されるブロードキャストメッセージである。
【００１９】
内部端末５は、取得要求Ｓ１を受信した場合、ステップＳＴ２において、当該取得要求Ｓ１に対する応答処理を行う。この応答処理は、自己に予め記憶されたサービス識別子を含む通信信号Ｓ２を返信する処理である。
【００２０】
通信信号Ｓ２をゲートウェイ装置１によって受信した場合、ゲートウェイ装置１は、ステップＳＴ３において、通信信号Ｓ２に含まれるサービス識別子に対応した第２の識別子である内部ＩＤを取得する。この内部ＩＤは、ゲートウェイ装置１によって生成しても良く、後述のセンターサーバによって生成しても良い。この内部ＩＤの生成処理は、複数の内部端末５に１番から連番で割り付ける方法や、乱数生成器によって生成した乱数を割り当てる方法などが挙げられる。
【００２１】
ゲートウェイ装置１によって内部ＩＤを取得した後、ゲートウェイ装置１は、通信信号Ｓ２から取り出したサービス識別子に対応した内部ＩＤを含む識別子対応情報Ｓ３を内部端末５に返信する。この識別子対応情報Ｓ３は、内部端末５によって受信される。これによって、ゲートウェイ装置１は、変換テーブルを作成することができる。なお、内部端末５は、予め内部ＩＤを記憶していない場合には自己のサービス識別子と対応付けて登録し、予め内部ＩＤを記憶している場合には、当該内部ＩＤの確認等を行う。
【００２２】
図３に示すように、外部端末４が内部端末５のサービス識別子及びデータを含む通信信号Ｓ１１を送信した場合（ステップＳＴ１１）、ゲートウェイ装置１は、当該通信信号Ｓ１１を受信する。
【００２３】
ゲートウェイ装置１は、通信信号Ｓ１１を受信すると、ステップＳＴ１２において、当該受信した通信信号Ｓ１１に含まれるサービス識別子を内部ＩＤに変換する。このとき、ゲートウェイ装置１は、図２に示す処理によって作成された変換テーブルを参照する。また、ゲートウェイ装置１は、ステップＳＴ１３において、通信信号にバイト長フィールドやチェックサムフィールドが存在する場合、識別子のデータ長を変更したことに応じて、当該通信信号に含まれるバイト長フィールドやチェックサムフィールドに格納する値の更新を行う。その後、ゲートウェイ装置１は、ステップＳＴ１４において、内部ＩＤを含む通信信号Ｓ１２を作成して、データ送信を行う。
【００２４】
この通信信号Ｓ１２は、ステップＳＴ１２で変換した内部ＩＤを有する内部端末５によって受信される。内部端末５は、通信信号Ｓ１２に含まれる内部ＩＤを認識して、自己に宛てた通信信号であることを認識し、当該通信信号Ｓ１２に含まれる内部ＩＤをサービス識別子に変換して、当該サービスに関する処理を行う。
【００２５】
ネットワークシステムは、内部端末５から外部端末４に通信信号を送信する場合、図４に示す処理を行う。先ず内部端末５は、ステップＳＴ２１において、サービスを提供するためのデータ及び当該サービスのサービス識別子を含む通信信号を作成し、当該通信信号のサービス識別子を内部ＩＤに変換する。次に内部端末５は、ステップＳＴ２２において、ステップＳＴ２１において変換された内部ＩＤを含む通信信号Ｓ２１を内部ネットワークＮＷ３に送信する。
【００２６】
内部端末５から送信された通信信号Ｓ２１は、ゲートウェイ装置１によって受信される。ゲートウェイ装置１は、ステップＳＴ２３において、受信した通信信号Ｓ２１に含まれる内部ＩＤを、変換テーブルを参照してサービス識別子に逆変換する。次にゲートウェイ装置１は、ステップＳＴ２４において、ステップＳＴ２３において変換したことによって変更された通信信号のバイト長に基づいて、当該通信信号に含めるバイト長、チェックサムを生成して、バイト長フィールド、チェックサムフィールドに格納した通信信号を作成する。その後、ゲートウェイ装置１は、ステップＳＴ２２にて通信信号Ｓ２１を送信した内部端末５のサービス識別子を含む通信信号Ｓ２２を外部端末４に送信する。これによって、外部端末４は、正式のサービス識別子を含む通信信号Ｓ２２によってデータを受信することができる。
【００２７】
以上説明したように、本発明を適用したネットワークシステムによれば、第２外部ネットワークＮＷ２等と比較して回線速度が低い内部ネットワークＮＷ３内ではサービス識別子よりもバイト長が短い内部ＩＤを伝送するので、内部ネットワークＮＷ３における通信効率を向上させることができる。すなわち、通信信号における識別子が占める割合を減らして通信効率を向上できる。
【００２８】
つぎに、本発明を適用したネットワークシステムの他の構成について説明する。
【００２９】
このネットワークシステムは、図５に示すように、第１外部ネットワークＮＷ１に接続されたセンターサーバ６によって内部ＩＤを生成して、当該内部ＩＤをゲートウェイ装置１によって取得するものである。
【００３０】
センターサーバ６は、第１外部ネットワークＮＷ１、ルータ３及び第２外部ネットワークＮＷ２を介して、複数のゲートウェイ装置１Ａ，１Ｂ（以下、総称する場合には単に「ゲートウェイ装置１」と呼ぶ。）、複数のルータ３Ａ，３Ｂ（以下、総称する場合には単に「ルータ３」と呼ぶ。）、複数の外部端末４Ａ，４Ｂ（以下、総称する場合には単に「外部端末４」と呼ぶ。）に接続されている。
【００３１】
センターサーバ６は、サービス識別子と、当該サービス識別子に対応した内部ＩＤとの対応関係を記述したマスタ変換テーブル（対応テーブル）を記憶したマスタ変換テーブル記憶装置７と接続されている。マスタ変換テーブルは、ゲートウェイ装置１に接続されたルータ３が異なることを条件に当該内部ＩＤの重複を許容して構成されている。これにより、サービス識別子が取りうる値の範囲よりも狭い範囲の内部ＩＤを実現し、内部ＩＤのバイト長をサービス識別子よりも短いものとしている。具体的には、マスタ変換テーブルは、ゲートウェイ装置１の識別子（ＩＰアドレス等）と、複数のゲートウェイ装置１に接続された全ての内部端末５のサービス識別子と、内部ＩＤとの対応関係が記述されている。この内部ＩＤは、上述したように内部端末５で連番であっても良く、乱数であっても良い。
【００３２】
このようなネットワークシステムは、図６に示すような処理を行うことにより、各ゲートウェイ装置１によって使用される変換テーブルを作成する。
【００３３】
先ずステップＳＴ３１において、ゲートウェイ装置１によって、内部端末５にサービス識別子を問い合わせる通信信号Ｓ３１を送信する。通信信号Ｓ３１を受信した内部端末５は、ステップＳＴ３２において、使用するサービス識別子を含む応答である通信信号Ｓ３２をゲートウェイ装置１に返信する。
【００３４】
ゲートウェイ装置１は、内部端末５からの応答である通信信号Ｓ３２を受信すると、当該通信信号Ｓ３２に含まれるサービス識別子を取り出す。これによって、ゲートウェイ装置１は、自己に接続されている全ての内部端末５に付与されているサービス識別子を収集する。次にゲートウェイ装置１は、ステップＳＴ３３において、自己に接続された内部端末５の内部ＩＤを問い合わせる通信信号Ｓ３３を送信する。この通信信号Ｓ３３には、内部端末５から送信された全てのサービス識別子を含む。
【００３５】
センターサーバ６は、ゲートウェイ装置１から通信信号Ｓ３３を受信すると、当該通信信号Ｓ３３に含まれるサービス識別子を取り出す。センターサーバ６は、ステップＳＴ３４において、マスタ変換テーブル記憶装置７に記憶されているマスタ変換テーブルから、通信信号Ｓ３３に含まれていたサービス識別子を検索し、当該サービス識別子に対応した内部ＩＤを読み出す。その後、センターサーバ６は、ステップＳＴ３４において検索した内部ＩＤとサービス識別子とを対応付けた変換テーブルを含む通信信号Ｓ３４をゲートウェイ装置１に送信する。
【００３６】
ゲートウェイ装置１は、通信信号Ｓ３４を受信すると、ステップＳＴ３６において、通信信号Ｓ３４に含まれている変換テーブルを取り出して、変換テーブル記憶装置２に保存する。次にゲートウェイ装置１は、ステップＳＴ３７において、変換テーブルを参照して、内部端末５ごとに、サービス識別子と内部ＩＤとの組を含む通信信号Ｓ３５を送信する。これによって、ゲートウェイ装置１は、各内部端末５に内部ＩＤを通知する。その後、内部端末５は、自己が内部ネットワークＮＷ３内で通信信号を送信する場合には、サービス識別子を内部ＩＤに変換して、内部ＩＤを含む通信信号を生成することができる。
【００３７】
以上のように、このネットワークシステムによれば、ゲートウェイ装置１からセンターサーバ６に、内部ネットワークＮＷ３に接続されている内部端末５のサービス識別子を送信することによって、各ゲートウェイ装置１Ａ，１Ｂで使用可能な変換テーブルを作成することができる。また、このネットワークシステムは、センターサーバ６によって、ゲートウェイ装置１で使用する変換テーブルを管理するので、各ゲートウェイ装置１で重複した内部ＩＤを設定しない限り、バイト長の短い内部ＩＤを生成することができる。
【００３８】
また、図６に示した例に限られず、変換テーブルを作成する手法としては、マスタ変換テーブルの全てをゲートウェイ装置１がダウンロードし、当該ゲートウェイ装置１に接続された内部端末５のサービス識別子に対応した内部ＩＤを取得して変換テーブルを作成しても良い。
【００３９】
更に、ゲートウェイ装置１は、変換テーブルに登録されていないサービス識別子を含む通信信号を受信した場合に、当該サービス識別子に対応した内部ＩＤをセンターサーバ６に問い合わせて、変換テーブルを更新しても良い。これによって、変換テーブルを作成する時間を短くできる。
【００４０】
更にまた、ゲートウェイ装置１は、内部ネットワークＮＷ３に新たな内部端末５が接続されたことを検知した場合に、当該内部端末５のサービス識別子に対応した内部ＩＤをセンターサーバ６に問い合わせても良い。この場合、内部端末５は、新たに内部ネットワークＮＷ３に接続されたことを検知し、自己が新たに内部ネットワークＮＷ３に接続された旨及び自己のサービス識別子を含む通信信号をブロードキャストする必要がある。このブロードキャストされた通信信号をゲートウェイ装置１によって受信することで、ゲートウェイ装置１は、新たに接続された内部端末５のサービス識別子に対応した内部ＩＤをセンターサーバ６に問い合わせることができる。これにより、ゲートウェイ装置１は、変換テーブルを、常に内部ネットワークＮＷ３に接続された全ての内部端末５のサービス識別子と内部ＩＤとを含むものに維持できる。
【００４１】
つぎに、本発明を適用したネットワークシステムにおいて、ゲートウェイ装置１によって読み込み可能な変換テーブルを作成する更に他の例について説明する。
【００４２】
このネットワークシステムは、図７に示すように、ゲートウェイ装置１によって、先ず内部端末５に問い合わせを行い、内部端末５からの応答によって、内部端末５に記憶された内部ＩＤを取得するものである。このネットワークシステムは、例えば内部端末５を内部ネットワークＮＷ３に接続する段階において内部端末５にサービス識別子と内部ＩＤとの組を記憶しておく必要がある。
【００４３】
このようなネットワークシステムの動作は、図８に示すように、先ずステップＳＴ４１において、ゲートウェイ装置１によって、使用するサービス識別子と対応する内部ＩＤを問い合わせる通信信号Ｓ４１を生成して、全内部端末５に送信する。
【００４４】
各内部端末５は、通信信号Ｓ４１を受信すると、ステップＳＴ４２において、予め記憶されているサービス識別子と内部ＩＤとの組を読み出し、当該サービス識別子と内部ＩＤとの組を含む通信信号Ｓ４２をゲートウェイ装置１に送信する。
【００４５】
ゲートウェイ装置１は、通信信号Ｓ４２を受信すると、ステップＳＴ４３において、当該通信信号Ｓ４２に含まれるサービス識別子と内部ＩＤとの組を変換テーブル記憶装置２に記憶することによって、変換テーブルに登録する。その後ゲートウェイ装置１は、ステップＳＴ４４において、変換テーブルに登録が完了した旨の通知を内部端末５に対して行う。
【００４６】
以上のように、ネットワークシステムは、ゲートウェイ装置１によって、内部端末５に記憶された内部ＩＤを収集し、当該収集した内部ＩＤに当該内部端末５のサービス識別子を対応させて変換テーブルを作成することができる。また、このネットワークシステムによれば、センターサーバ６を設ける必要がない。
【００４７】
また、図８に示した例に限られず、変換テーブルを作成する手法としては、ゲートウェイ装置１によって変換テーブルに登録されていないサービス識別子を含む通信信号を受信した場合に、当該サービス識別子に対応した内部ＩＤを内部端末５に問い合わせて、変換テーブルを更新しても良い。これによって、変換テーブルを作成する時間を短くできる。
【００４８】
更にまた、ゲートウェイ装置１によって内部ネットワークＮＷ３に新たな内部端末５が接続されたことを検知した場合に、当該内部端末５にサービス識別子及び内部ＩＤを問い合わせても良い。この場合、内部端末５は、新たに内部ネットワークＮＷ３に接続されたことを検知し、自己が新たに内部ネットワークＮＷ３に接続された旨と、自己のサービス識別子及び内部ＩＤとを含む通信信号をブロードキャストする必要がある。このブロードキャストされた通信信号をゲートウェイ装置１によって受信することで、ゲートウェイ装置１は、新たに接続された内部端末５のサービス識別子及び内部ＩＤを変換テーブルに登録できる。これにより、ゲートウェイ装置１は変換テーブルを、常に内部ネットワークＮＷ３に接続された全ての内部端末５のサービス識別子と内部ＩＤとを含むものに維持できる。
【００４９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５０】
【図１】本発明を適用したネットワークシステムの構成を示すブロック図である。
【図２】本発明を適用したネットワークシステムにおいて、変換テーブルを作成する処理のフローチャートである。
【図３】本発明を適用したネットワークシステムにおいて、外部ネットワークから内部端末宛てに通信信号が送信された時のフローチャートである。
【図４】本発明を適用したネットワークシステムにおいて、内部端末から外部ネットワークの端末に宛てた通信信号が送信された時のフローチャートである。
【図５】本発明を適用したネットワークシステムの他の構成を示すブロック図である。
【図６】本発明を適用したネットワークシステムにおいて、センターサーバに問い合わせることによって変換テーブルを作成する処理のフローチャートである。
【図７】本発明を適用したネットワークシステムの他の構成を示すブロック図である。
【図８】本発明を適用したネットワークシステムにおいて、内部端末に問い合わせることによって変換テーブルを作成する処理のフローチャートである。
【符号の説明】
【００５１】
１  ゲートウェイ装置
２  変換テーブル記憶装置
３  ルータ
４  外部端末
５  内部端末
６  センターサーバ
７  マスタ変換テーブル記憶装置
【図１】
2008244712.tif 000003
【図２】
2008244712.tif 000004
【図３】
2008244712.tif 000005
【図４】
2008244712.tif 000006
【図５】
2008244712.tif 000007
【図６】
2008244712.tif 000008
【図７】
2008244712.tif 000009
【図８】
2008244712.tif 000010